(57)【要約】【課題】  簡易な構成でスプリンクラーの作動時において確実に水の散布をすることのできるスプリンクラー装置を提供する。【解決手段】  住宅１に配管される給水管２にスプリンクラー３を接続し、このスプリンクラー３の接続部より下流部に水使用器具７を接続したスプリンクラー装置において、給水管２はスプリンクラー３の接続部と水使用器具７の間に流量調節弁４を有し、流量調節弁４に接続されて火災発生の際には流量調節弁４を閉塞または開度を減少させる制御部５を設けてなる。また、制御部５はスプリンクラー３に接続され、このスプリンクラー３の作動検出により火災発生を検知する。【選択図】  図１
2005211283.tif 000002
【特許請求の範囲】
【請求項１】
住宅に配管される給水管にスプリンクラーを接続し、該スプリンクラーの接続部より下流部に水使用器具を接続した住宅用のスプリンクラー装置において、
上記給水管は上記スプリンクラーの接続部と水使用器具の間に流量調節弁を有し、該流量調節弁に接続されて火災発生の際には上記流量調節弁を閉塞または開度を減少させる制御部を設けてなることを特徴とするスプリンクラー装置。
【請求項２】
上記制御部はスプリンクラーに接続され、該スプリンクラーの作動検出により火災発生を検知し、上記流量調節弁を閉塞または開度を減少させることを特徴とする請求項１記載のスプリンクラー装置。
【請求項３】
上記制御部は上記住宅内に設けられる火災検出器に接続され、該火災検出器からの信号受信により火災発生を検知し、上記流量調節弁を閉塞または開度を減少させることを特徴とする請求項１記載のスプリンクラー装置。
【請求項４】
上記給水管は上記流量調節弁より下流部で分岐し、各分岐給水管の終端にそれぞれ水使用器具を接続したことを特徴とする請求項１〜３のいずれか１項に記載のスプリンクラー装置。
【請求項５】
上記スプリンクラーは水圧または流量検出部を備え、上記制御部は上記水圧または流量検出部により検出された水圧または流量を所定値以上に維持するように上記流量調節弁の開度を制御することを特徴とする請求項１〜４のいずれか１項に記載のスプリンクラー装置。
【発明の詳細な説明】
【技術分野】
【０００１】
本発明は一般住宅に設置され火災発生時に水を散布するスプリンクラー装置に関し、特に各住宅に配管される給水管に接続されるスプリンクラー装置に関する。
【背景技術】
【０００２】
近年、戸建て住宅向けの防災設備が注目されており、一般の戸建て住宅においてもスプリンクラー設備を設置する機運が高まりつつある。一般住宅用のスプリンクラー装置としては、例えば特許文献１に挙げるようなものがある。特許文献１では、各住宅に配管される給水管を途中で分岐し、分岐後の分水管にスプリンクラーを接続している。スプリンクラーを接続した分水管以外の分水管には止水弁を設けており、スプリンクラーの作動を感知した場合には、この止水弁を閉塞することにより、スプリンクラーを接続した分水管に優先的に給水するようにされている。
【特許文献１】特開２００３−２２５３２０号公報
【発明の開示】
【発明が解決しようとする課題】
【０００３】
しかし、従来のスプリンクラー装置においては、以下に述べる問題点を有していた。
上記特許文献１の場合には、スプリンクラーを接続した分水管の終端に水使用器具を接続し、その使用の度に分水管内の水を入れ替えることにより、分水管内の水の腐敗を防止し、かつスプリンクラーの流水確認をとることができるようにされている。しかし、スプリンクラーの作動時に水使用器具が使用されていると、スプリンクラーに供給される水圧または流量が低下するため、十分に作動できないおそれがある。したがって、スプリンクラーを確実に作動させるためには、スプリンクラーを接続した分水管以外の分水管に設けた止水弁の他に、スプリンクラーの接続部分と水使用器具の間にも止水弁が必要となり、煩雑な構成となる。
【０００４】
また、住宅に配管される給水管に直接スプリンクラーを接続し、その下流部に水使用器具を接続した場合であっても、同様にスプリンクラーの作動時に水使用器具が使用されていると、水圧または流量を十分に確保できないおそれがある。
【０００５】
本発明は、上記課題を鑑みてなされたものであり、簡易な構成でスプリンクラーの作動時において確実に水の散布をすることのできるスプリンクラー装置を提供することを目的とする。
【課題を解決するための手段】
【０００６】
上記課題を解決するため、本発明に係るスプリンクラー装置は、住宅に配管される給水管にスプリンクラーを接続し、該スプリンクラーの接続部より下流部に水使用器具を接続した住宅用のスプリンクラー装置において、
上記給水管は上記スプリンクラーの接続部と水使用器具の間に流量調節弁を有し、該流量調節弁に接続されて火災発生の際には上記流量調節弁を閉塞または開度を減少させる制御部を設けてなることを特徴として構成されている。
【０００７】
また、本発明に係るスプリンクラー装置は、上記制御部はスプリンクラーに接続され、該スプリンクラーの作動検出により火災発生を検知し、上記流量調節弁を閉塞または開度を減少させることを特徴として構成されている。
【０００８】
さらに、本発明に係るスプリンクラー装置は、上記制御部は上記住宅内に設けられる火災検出器に接続され、該火災検出器からの信号受信により火災発生を検知し、上記流量調節弁を閉塞または開度を減少させることを特徴として構成されている。
【０００９】
さらにまた、本発明に係るスプリンクラー装置は、上記給水管は上記流量調節弁より下流部で分岐し、各分岐給水管の終端にそれぞれ水使用器具を接続したことを特徴として構成されている。
【００１０】
そして、本発明に係るスプリンクラー装置は、上記スプリンクラーは水圧または流量検出部を備え、上記制御部は上記水圧または流量検出部により検出された水圧または流量を所定値以上に維持するように上記流量調節弁の開度を制御することを特徴として構成されている。
【発明の効果】
【００１１】
本発明に係るスプリンクラー装置によれば、給水管におけるスプリンクラーの接続部と水使用器具の間に流量調節弁を設け、火災発生時には制御部によりその開度を減少させるように構成したので、１つの流量調節弁を設けるだけで火災発生時にスプリンクラーの水圧または流量を確保でき、簡易な構成により確実な水の散布を行うことができる。特に、スプリンクラーの下流部分には水使用器具が接続されているので、配管内の水が絶えず入れ替わり、水の腐敗による配管やスプリンクラーの腐食・劣化を防ぐことができる構成とされた上で、上記構成により火災発生時においてはスプリンクラーから確実な水の散布を行うことができる。
【００１２】
また、本発明に係るスプリンクラー装置によれば、制御部がスプリンクラーの作動検知により火災を検出するので、機器を追加することなく簡易な構成で火災を検出し、流量調節弁の開度調整を行うことができる。
【００１３】
さらに、本発明に係るスプリンクラー装置によれば、制御部が火災検出器からの信号受信により火災を検出するので、スプリンクラーの作動を待たず流量調節弁の開度調整を行うことができ、スプリンクラーの作動時により確実に十分な水圧または流量を確保しておくことができる。
【００１４】
さらにまた、本発明に係るスプリンクラー装置によれば、給水管は流量調節弁より下流部で分岐し、各分岐給水管の終端にそれぞれ水使用器具を接続したことにより、スプリンクラー装置を住宅内の様々な水使用器具に接続することができ、住宅内での水の使用をそのままスプリンクラーの流水確認とすることができる。
【００１５】
そして、本発明に係るスプリンクラー装置によれば、スプリンクラーは水圧または流量検出部を備え、制御部は水圧または流量検出部により検出された水圧または流量を所定値以上に維持するように流量調節弁の開度を制御することにより、スプリンクラーにおける水圧または流量の維持を確実に行うことができる。
【発明を実施するための最良の形態】
【００１６】
本発明の実施形態について、図面に沿って詳細に説明する。図１は本実施形態におけるスプリンクラー装置の全体構成図である。図２は、住宅内におけるスプリンクラー装置の配置図を示す。これら各図において本実施形態におけるスプリンクラー装置は、住宅１内部に配管される給水管２にスプリンクラー３、３を接続し、さらにその下流部に住宅内で用いる水使用器具７、７を接続したものである。
【００１７】
給水管２は一般の水道が住宅内に引き込まれたものであって、水道管として通常用いられる合成樹脂管や金属管である。図２に示すように、給水管２は住宅の天井または壁面に沿って設けられる。ただし、給水管２は一般の水道を直接引き込んだものに限らず、給水塔からの水や中水等であってもよい。給水管２は通常時には住宅内で用いられる水を供給し、火災発生時には消火のための水を供給する。そして、常時所定の水圧がかけられている。住宅内で水を使用した場合には、その使用量に応じて給水管２内の水圧は低下、または流量は減少する。
【００１８】
図１に示すように、給水管２には住宅内における上流部にスプリンクラー３を接続する。図２に示すように、スプリンクラー３は住宅の各部屋の天井に設置され、火災発生時には水を部屋に散布することで消火を行う。本実施形態では、２つのスプリンクラー３、３を給水管２に接続している。しかしこれに限らず、住宅内の部屋数などに応じて、スプリンクラー３の数は自由に設定することができる。
【００１９】
スプリンクラー３の内部構造は、一般的に用いられているものと同様であるので図示しないが、概要は以下の通りである。スプリンクラー３は、内部にシリンダとピストンを備えており、それらの間には半田等からなる可溶片が挟まれている。通常時には、ピストンが水の放出口を塞いだ状態となっている。火災発生時には、可溶片が熱によって溶解し、ピストンが動いて水の放出口を開放することで、給水管２から供給される水が散布される。ただし、スプリンクラー３の構造としてはこれに限らず、水の供給を受けて火災発生時には水を散布するスプリンクラーであれば、どのようなものであってもよい。
【００２０】
図１、図２に示すように、給水管２においてスプリンクラー３の接続部よりも下流側には分岐部６が設けられ、分岐した各分岐給水管２ａ、２ｂ、２ｃの終端部にはそれぞれ水使用器具７ａ、７ｂ、７ｃが接続されている。水使用器具７、７は、それぞれ住宅内において水が使用される各器具に相当する。分岐給水管２ａの終端部に接続される水使用器具７ａはトイレであり、分岐給水管２ｂの終端部に接続される水使用器具７ｂは風呂であり、分岐給水管２ｃの終端部に接続される水使用器具７ｃは一般給水栓である。本実施形態では、給水管２は分岐部６で３つに分岐し、それぞれ１つずつの水使用器具７を接続しているが、これに限らず分岐数や水使用器具７の種類はどのように構成してもよい。
【００２１】
ここで、図１に示すように給水管２においてスプリンクラー３の接続部と水使用器具７の間には、流量調節弁４が設けられている。流量調節弁４としては通常、定流量弁や圧力調整弁などが用いられる。より詳細には、流量調節弁４はスプリンクラー３の接続部と分岐部６の中間部に設けられる。流量調節弁４はその開度を調節することにより、給水管２内の水圧または水の流量を変化させることができるものであり、開閉部４ａの動作によって全開から全閉まで開度の調節を行う。
【００２２】
通常時には、流量調節弁４は全開の状態にしておき、給水管２において流量調節弁４よりも下流部に接続された水使用器具７に通常の水圧をかけておく。火災発生時には、流量調節弁４を全閉の状態にして給水管２を閉塞するか、または全開と全閉の中間の状態まで開度を減少させることで、水使用器具７が接続された下流部を遮断するか、または下流部の水圧を低下ないし流量を減少させる。これによって、火災発生時に水使用器具７が使用されていても、スプリンクラー３の位置では水圧を低下ないし流量を減少させることがなく、確実な水の散布を行うことができる。
【００２３】
流量調節弁４の開閉制御についてさらに説明する。図１に示すように、本実施形態のスプリンクラー装置には、流量調節弁４の開閉制御を行う制御部５が設けられている。制御部５は流量調節弁４の開閉部４ａと信号線８によって接続され、開閉部４ａに流量調節弁４の開度を変化させる信号を送信することができるようにされている。また、制御部５は各スプリンクラー３、３にもそれぞれ信号線８、８によって接続されており、スプリンクラー３が作動すると、制御部５に対して火災発生の信号を送信することができるようにされている。
【００２４】
スプリンクラー３には図示しない作動検出手段が設けられており、これは例えばスプリンクラー３において作動に伴い脱落する部分に、通常時は当接し押圧された状態となるようにスイッチを配置し、作動時の脱落でそのスイッチの押圧が解除されたことによって、信号線８を介して火災発生の信号を送信するようにすることができる。ただしこれは作動検出手段の一例であって、スプリンクラー３の動作を検出できる構成であれば他の構成によってもよい。
【００２５】
本実施形態におけるスプリンクラー装置は火災発生時に以下のように動作する。住宅内で火災が発生すると、熱によってスプリンクラー３が作動し、それに伴って火災発生の信号が信号線８を介して制御部５に送信される。火災発生の信号を受信した制御部５は、流量調節弁４の開閉部４ａに対し信号線８を介して開度を減少させる信号を送信する。その信号を受信した開閉部４ａは流量調節弁４の開度を減少させ、それによって下流部の各水使用器具７に対する水圧または流量が絞られるので、スプリンクラー３における水圧または流量を十分に確保することができる。
【００２６】
また、水圧または流量の調節については以下のように行ってもよい。まずスプリンクラー３に水圧または流量検出部を設けておく。これには通常の圧力センサを用いることができる。スプリンクラー３の作動時には、火災発生の信号を制御部５に送信すると共に、その後継続して水圧または流量検出部からの圧力信号を制御部５に送信する。制御部５は水圧または流量検出部によって検出された水圧または流量が所定値以上に維持されるように、流量調節弁４の開閉部４ａに対し開度を減少させる信号を送信する。このようにスプリンクラー３の位置における水圧または流量を基に流量調節弁４の開度を制御することにより、確実にスプリンクラー３の水圧または流量を確保することができる。
【００２７】
本実施形態では、流量調節弁４の開度を制御することでスプリンクラー３の水圧または流量を確保するようにしたが、流量調節弁４について通常時には全開とし、火災発生時には全閉として給水管２を閉塞するようにしてもよい。このようにすると、流量調節弁４は単に全開または全閉の状態が実現できればよいことになるので、構造を簡単にすることができる。また、制御部５による開閉部４ａの制御も単に流量調節弁４を全閉とする信号を送信するだけでよいので簡易なものになる。
【００２８】
次に、本発明の第２の実施形態について説明する。図３には第２の実施形態におけるスプリンクラー装置の全体構成図を示す。本実施形態における給水管２とスプリンクラー３、流量調節弁４及び各水使用器具７の構成については、第１の実施形態と同様である。第１の実施形態と異なるのは、住宅の各部屋に火災検出器９を設けていることである。火災検出器９は、火災によって発生する煙や火炎を検出することのできるものであり、スプリンクラー３と同様に部屋の天井等に設けられる。また、各火災検出器９はそれぞれ信号線８によって制御部５に接続されている。一方、スプリンクラー３は第１の実施形態と異なり、制御部５とは接続されていない。
【００２９】
本実施形態における火災発生時の動作について説明する。住宅内で火災が発生すると、火災検出器９がそれを検知し、信号線８を介して制御部５に火災発生の信号を送信する。火災発生の信号を受信した制御部５は、流量調節弁４の開閉部４ａに対して開度調節の制御を行う。このようにスプリンクラー３とは別の火災検出器９によって火災を検知し、流量調節弁４の制御を行うことにより、スプリンクラーの作動を待たず流量調節弁の開度調整を行うことができ、スプリンクラーの作動時により確実に十分な水圧または流量を確保しておくことができる。
【００３０】
以上、本発明の実施形態について説明したが、本発明の適用はこれら実施形態に限られるものではなく、その技術的思想の範囲内において様々に適用されうるものである。
【図面の簡単な説明】
【００３１】
【図１】第１の実施形態におけるスプリンクラー装置の全体構成図である。
【図２】住宅内におけるスプリンクラー装置の配置図である。
【図３】第２の実施形態におけるスプリンクラー装置の全体構成図である。
【符号の説明】
【００３２】
１    住宅
２    給水管
３    スプリンクラー
４    流量調節弁
５    制御部
６    分岐部
７    水使用器具
８    火災検出器
【図１】
2005211283.tif 000003
【図２】
2005211283.tif 000004
【図３】
2005211283.tif 000005